(57)【要約】【課題】例えばユーザが望む所定時間分のデータの再生を容易に行うことを可能とする。【解決手段】動画記録再生装置は、記録媒体に記録されるデータの最終位置から所定時間遡った位置までを管理するためのレックレビュープレイリストを生成し、レックレビュープレイリストに従って、記録媒体に記録されるデータを再生する。【選択図】図３
2007115308.tif 000002
【特許請求の範囲】
【請求項１】
データを記録媒体に記録させる記録手段と、
前記記録媒体に記録される前記データの最終位置から所定時間遡った位置までを管理するための管理データを生成する管理データ生成手段と、
前記管理データに従って、前記記録媒体に記録される前記データを再生する再生手段とを有することを特徴とする記録再生装置。
【請求項２】
前記管理データ生成手段は、前記記録媒体に記録される前記データの最後のファイルが前記所定時間分に満たない場合、前記データの最終位置から前記所定時間遡った位置に対応する他のファイル内の位置を管理するとともに、前記他のファイルより後に記録される前記最後のファイルを含む一又は複数のファイルを指定する前記管理データを生成することを特徴とする請求項１に記載の記録再生装置。
【請求項３】
前記管理データ生成手段は、前記データの記録終了操作が行われる度に、前記管理データを修正することを特徴とする請求項１又は２に記載の記録再生装置。
【請求項４】
前記所定時間の値を任意に設定可能な設定手段を更に有することを特徴とする請求項１乃至３の何れか１項に記載の記録再生装置。
【請求項５】
当該記録再生装置の電源オン及びオフに拘わらず、前記管理データを保持する管理データ保持手段を更に有することを特徴とする請求項１乃至４の何れか１項に記載の記録再生装置。
【請求項６】
前記再生手段は、データの再生操作を受け付ける前に、前記データを予めバッファメモリに読み出しておくことを特徴とする請求項１乃至５の何れか１項に記載の記録再生装置。
【請求項７】
記録媒体にデータを記録するとともに、前記記録媒体に記録されるデータを再生可能な記録再生装置の記録再生方法であって、
前記記録媒体に記録される前記データの最終位置から所定時間遡った位置までを管理するための管理データを生成する管理データ生成ステップと、
前記管理データに従って、前記記録媒体に記録される前記データを再生する再生ステップとを含むことを特徴とする記録再生方法。
【請求項８】
請求項７に記載の記録再生方法をコンピュータに実行させるためのプログラム。
【請求項９】
請求項８に記載のプログラムを記録したコンピュータ読み取り可能な記録媒体。
【発明の詳細な説明】
【技術分野】
【０００１】
本発明は、記録媒体にデータを記録するとともに、前記記録媒体に記録されるデータを再生可能な記録再生装置及び記録再生方法に関するものである。
【背景技術】
【０００２】
従来、画像データを撮影して磁気テープやメモリカードなどの記録媒体に記録再生するビデオカメラが知られている。この様なビデオカメラにおいて、記録を停止した状態で、記録停止位置から所定時間前に記録された画像データを自動的に再生して表示する記録レビュー機能を持つものがある。
【０００３】
例えば、記録媒体として磁気テープを用いた場合には、記録レビューの指示があると、記録停止位置より所定時間、例えば数秒分テープを巻き戻して再生を開始し、記録停止位置まで再生すると自動的に再生を停止する。
【０００４】
また、記録媒体としてディスク媒体やメモリカードなどを用いた場合、最後に記録した画像ファイルの先頭より再生を開始し、ファイルの最後まで再生すると自動的に再生を停止する。
【０００５】
また、記録レビューの際に、テープやディスク、あるいはメモリカードなどの記録媒体からデータを読み出すのではなく、内蔵メモリに格納しておいたレビュー用の画像を読み出して表示する構成も考えられている（例えば、特許文献１、特許文献２参照）。
【０００６】
【特許文献１】特開２００１−１１７１６３号公報
【特許文献２】特開２０００−３５０１３５号公報
【発明の開示】
【発明が解決しようとする課題】
【０００７】
しかしながら、従来技術においては、前述の様にディスクメディアやメモリカードに記録された画像をレビュー再生する際、最後の数秒だけを確認したい場合でも、直前に記録されたファイルの先頭から再生されてしまい、使い勝手が悪い。
【０００８】
本発明の目的は、例えばユーザが望む所定時間分のデータの再生を容易に行うことを可能とすることにある。
【課題を解決するための手段】
【０００９】
本発明の記録再生装置は、データを記録媒体に記録させる記録手段と、前記記録媒体に記録される前記データの最終位置から所定時間遡った位置までを管理するための管理データを生成する管理データ生成手段と、前記管理データに従って、前記記録媒体に記録される前記データを再生する再生手段とを有することを特徴とする。
本発明の記録再生方法は、記録媒体にデータを記録するとともに、前記記録媒体に記録されるデータを再生可能な記録再生装置の記録再生方法であって、前記記録媒体に記録される前記データの最終位置から所定時間遡った位置までを管理するための管理データを生成する管理データ生成ステップと、前記管理データに従って、前記記録媒体に記録される前記データを再生する再生ステップとを含むことを特徴とする。
本発明のプログラムは、前記記録再生方法をコンピュータに実行させることを特徴とする。
本発明のコンピュータ読み取り可能な記録媒体は、前記プログラムを記録したことを特徴とする。
【発明の効果】
【００１０】
本発明においては、データの最終位置から所定時間遡った位置までを管理するための管理データを生成し、管理データに従ってデータの再生処理を行うように構成している。従って、本発明によれば、例えばユーザが望む所定時間分のデータの再生を容易に行うことが可能となる。
【発明を実施するための最良の形態】
【００１１】
以下、本発明を適用した好適な実施形態を、添付図面を参照しながら詳細に説明する。
【００１２】
−第１の実施形態−
先ず、本発明の第１の実施形態について説明する。図１は、本発明の第１の実施形態に係るカメラ一体型の動画記録再生装置の構成を示す図である。動画記録再生装置の起動時には、プログラムフラッシュメモリ１１３内に圧縮されたプログラムは、プログラムメモリ１１２に解凍／展開される。ＣＰＵ１１１は、プログラムメモリ１１２内のプログラムに従って動作し、以下に説明する各種の制御動作を行う。被写体からの光は、レンズ群１０１を通して撮像素子１０２に結像される。撮像素子１０２に結像された被写体像は光電変換されて、電気信号となる。撮像素子１０２からの光電変換画像は、所定の周期で読み出され、カメラ信号処理部１０３にて標準的な画像信号になるように信号処理される。次いで、所定周期で標準的なデジタル動画像として画像メモリ１０４に一時的に蓄積されるとともに、ディスプレイ１０６へと送られて現在撮像中の動画像が表示される（撮影待機状態）。
【００１３】
この撮影待機状態で、操作スイッチ１０５に含まれる撮影ボタン（不図示）を押すことで撮影が開始される。撮影が開始されると、前記画像メモリ１０４に一時的に蓄積された原動画像データは、動画符号化／復号化部１０８にてＭＰＥＧ等の圧縮符号化がなされる。次に、圧縮符号化された動画像データは、ショックプルーフメモリ（以下、ＳＰＭと記す）１１４をバッファとして一旦蓄積された後に、インタフェース１１０を通して所定周期で光ディスク１０９に記録される。操作スイッチ１０５に含まれる撮影ボタンが再度押されると、記録が終了になる。この記録終了動作で、１カットの動画クリップの記録が終了する。
【００１４】
一方、上述の撮影待機状態で、操作スイッチ１０５に含まれるレックレビューボタン（不図示）を押すことで、後述する所定の動画リストファイル（レックレビュープレイリスト）に基づいて、レックレビューが開始される。前述の撮像素子は駆動された状態のままではあるが、ディスプレイ１０６は撮像素子の撮像信号を表示するモードから光ディスクに記録された画像を再生するモードに切り換えられる。それと同時に、レックレビューリストの記述に基づいて、動画データが後述の如くメモリ１１４或いはディスク１０９より読み出され、動画符号化／復号化部１０８にて復号され、ディスプレイ１０６に表示される。
【００１５】
なお、図１において、動画符号化／復号化部１０８は、モーションＪＥＰＧのような１枚１枚のフィールド／フレームを独立して圧縮符号化する動画符号化方式でも構わない。また、ＭＰＥＧのようなフィールド／フレームによっては独立して圧縮符号化したり、前後のコマの差分をとって圧縮符号化したり、また、複数のコマから予測して圧縮符号化したりする動画符号化方式でも構わない。また、光ディスク１０９は、ハードディスクや光磁気ディスク等でも構わないし、ＦＬＡＳＨメモリやＳＲＡＭ／ＤＲＡＭ等の固体半導体メモリで構成されるランダムアクセス可能なメモリでも構わないのは言うまでも無い。
【００１６】
図２は、本発明の第１の実施形態に係る動画記録再生装置の動作を示すフローチャートである。以下では、本実施形態に係る動画記録再生装置の電源投入時からの動作を説明する。
【００１７】
電源が投入されると、ステップＳ２０１において、各種の初期化動作を行い、ＣＰＵ１１１は、光ディスク１０９中に記録されている動画クリップのうち、記録の新しい方からＮ秒分を検索する。そして、そのＮ秒分の開始位置に相当する動画クリップ又は動画フレームを指定するリストファイルであるレックレビュープレイリストを作成し、これをショックプルーフメモリ１１４に格納する。続いてステップＳ２０２に進み、撮影待機に入る。
【００１８】
続くＳ２０３において、撮影ボタンが押されると、ステップＳ２０７に進む。ステップＳ２０７では、撮影が開始され、撮像素子１０２を通りカメラ信号処理された画像データは、一旦ＳＰＭ１１４にバッファされた後（ステップＳ２０８）、順次光ディスク１０９に記録されていく（ステップＳ２０９）。
【００１９】
続くステップＳ２１０において、再度撮影ボタンが押されて、撮影終了となるまでは上記のようにメモリ１１４に蓄えた画像を順次光ディスク１０９へ記録していく動作が続く。ここで撮影ボタンが押されて撮影が終了すると、ステップＳ２１１に進み、光ディスク１０９への記録動作としての各種終了処理が行われ、動画記録が完結する。その上でステップＳ２１２へ進み、ここではステップＳ２０１で作成されたレックレビュープレイリストが修正されてメモリ１１４上に保管される。ステップＳ２１２におけるプレイリストは、直前に撮影されたクリップの最後のＮ秒分を再生するためのリストである。具体的には、リスト中では、ＳＰＭ１１４上のアドレスを指す。つまり、メモリ１１４は動画符号化復号化部１０８にて符号化される動画データの平均データレートで少なくともＮ秒分の符号化データを記憶可能であり、撮影停止後、次の撮影が開始されるまで、或いは、電源がオフされるまで保持されている。そのため、この時点でのレックレビュープレイリストでは、ディスク１０９上のファイルやクリップではなく、メモリ１１４に記憶されているＮ秒分のクリップを再生するよう記述している。もし、最後のＮ秒分のデータのデータ量が平均レートの場合よりも多く、メモリ１１４に保存されているデータがＮ秒に満たないＭ秒の場合は、足りない時間（Ｎ−Ｍ）秒分のデータが光ディスク１０９上から再生されるようにレックレビュープレイリストに記述される。
【００２０】
さて、ステップＳ２０３において、ボタン操作がレックレビューボタンの場合、ステップＳ２０４に進む。ステップＳ２０４では、レックレビュープレイリストに従って、光ディスク１０９又はＳＰＭ１１４上からの動画クリップの再生動作が始まり、その内容がディスプレイに表示される。再生中に撮影ボタンが押されると、すぐに撮影待機状態（ステップＳ２０２）へ移行する。また、レックレビュープレイリストの再生が終わると、やはり撮影待機状態（ステップＳ２０２）へ移行する。なお、レックレビュープレイリストで再生する時間は所定のＮ秒としているが、ユーザ操作により設定可能にしてあってもよい。
【００２１】
次に、図３にレックレビュープレイリストのレックレビュー時間（上記所定時間Ｎ）を５秒間としての作成例を示す。図３（ａ）は、電源投入直後の様子であり、前回撮影時に光ディスク１０９上に記録されたファイルＡの左端を記録開始時の画像データとして横帯状に示している。この時点では、レックレビュープレイリストは、ファイルＡのうち、終わりの５秒分に相当するフレーム位置、即ちファイルＡの最終位置から５秒分遡ったフレーム位置であるフレームＡを指定し、最後の５秒間分のフレームを再生するためのリストとなる。
【００２２】
図３（ｂ）では、図３（ａ）の後に２秒間の撮影が行われ、ファイルＢができた例を示している。この時のレックレビュープレイリストは、ファイルＡの最後の３秒分に相当するフレーム位置（ファイルＡの最終位置から３秒分遡ったフレーム位置）を指定することに加えて、ファイルＢを指定するリストとなる。従って、トータル５秒分のフレームを再生するためのリストとなる。ここでのレックレビュープレイリストへの記述はファイルＡのフレームＢから最終位置と、ＳＰＭ１１４に残るファイルＢの動画クリップのアドレスを指定する内容となっている。
【００２３】
図３（ｃ）はさらに４秒間の撮影を行った後、ファイルＣが作成された状態を示す。ここでは、レックレビュー用の動画クリップが全てＳＰＭ１１４上に残っており、プレイリストの記述もＳＰＭ１１４のアドレスとなっている。このように、図３（ｃ）の例では、ファイルＢの最後の1秒分とファイルＣの４秒分が指定されることになる。以上のように本実施形態では、最後のファイルが所定時間に満たない場合、データの最終記録位置から所定時間遡った位置に対応する或るファイル内のフレーム位置を指定し、また、そのファイルより後に記録されるファイルのアドレスを指定するようにしている。従って、例えば最後に記録した画像クリップが操作ミスなどにより極端に短い場合等においてレビュー再生期間が短く、ユーザが確認できないという問題を解消し、常に所定時間分のデータの再生を可能としている。なお、アドレスを指定する対象となるファイルが複数であってもよいことは勿論である。
【００２４】
−第２の実施形態−
次に、本発明の第２の実施形態について説明する。図４は、本発明の第２の実施形態に係る動画記録再生装置の動作を示すフローチャートである。本実施形態に係る動画記録再生装置の動作と第１の実施形態とで同様な動作の部分については図２と同様な符号を記してあり、説明を省略する。なお、本実施形態に係る動画記録再生装置の構成は、図１に示す構成と同様である。
【００２５】
電源投入すると、ステップＳ４０１において、各種初期化動作とともに、光ディスク１０９上に記録されているレックレビュープレイリストを読み出し、そのリストに従って、ＳＰＭ１１４に動画クリップ又は動画フレームを読み出す。これにより、図４のステップＳ２０３においてレックレビューが行われると、再生は常にＳＰＭ１１４から行われることになる。また、ステップＳ４１２においては、撮影終了毎にレックレビューリストを修正したものを、常に光ディスク１０９へ記録していく。これにより、電源オフ及びオンに拘わらず、常に光ディスク１０９上にレックレビューリストを保持することが可能となる。
【００２６】
もちろん、電源投入後レックレビューリストがない場合、つまり新しい記録メディアの場合等には、再生不能である警告注意が表示されるようにしてもよい。
【００２７】
以上のように、上述した実施形態では、前回撮影したシーンを確認するためのレックレビューの再生方式として、クリップ（ファイル）間に跨がって時間単位で再生時間を管理している。従って、常にユーザが所望する時間分の再生を行うことが容易にできる。また、レックレビューに用いる撮影シーンのデータを常にＳＰＭに蓄えるようにすることで、常にすばやいレックレビューを行うことができる。
【００２８】
また、本発明の目的は、前述した実施形態の機能を実現するソフトウェアのプログラムコードを記録した記憶媒体をシステム或いは装置に供給し、そのシステム等のコンピュータが記憶媒体からプログラムコードを読み出し実行することによっても達成される。
【００２９】
この場合、記憶媒体から読み出されたプログラムコード自体が前述した実施形態の機能を実現することになり、プログラムコード自体及びそのプログラムコードを記憶した記憶媒体は本発明を構成することになる。
【００３０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３１】
また、コンピュータが読み出したプログラムコードの指示に基づき、コンピュータ上で稼動しているＯＳ等が実際の処理の一部又は全部を行い、その処理によって前述した実施形態の機能が実現される場合も含まれる。
【００３２】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施形態の機能が実現される場合も含まれる。
【図面の簡単な説明】
【００３３】
【図１】本発明の第１及び第２の実施形態に係るカメラ一体型の動画記録再生装置の構成を示す図である。
【図２】本発明の第１の実施形態に係る動画記録再生装置の動作を示すフローチャートである。
【図３】レックレビュープレイリストのレックレビュー時間を５秒間としての作成例を示す図である。
【図４】本発明の第２の実施形態に係る動画記録再生装置の動作を示すフローチャートである。
【符号の説明】
【００３４】
１０１  レンズ郡
１０２  撮像素子
１０３  カメラ信号処理部
１０４  画像メモリ
１０５  操作スイッチ
１０６  ディスプレイ
１０７  画像処理部
１０８  動画符号化／復号化部
１０９  光ディスク
１１０  インタフェース
１１１  ＣＰＵ
１１２  プログラムメモリ
１１３  プログラムフラッシュメモリ
１１４  ショックプルーフメモリ
【図１】
2007115308.tif 000003
【図２】
2007115308.tif 000004
【図３】
2007115308.tif 000005
【図４】
2007115308.tif 000006